(57)【特許請求の範囲】
【請求項１】
フェース部とクラウン部とソール部とサイド部とホーゼル部を備えたゴルフクラブヘッドであって、前記ソール部は、ソール中央を含む薄肉部と、前記薄肉部を囲む厚肉部と、前記厚肉部の少なくともトゥ側とヒール側とバック側に位置する周辺部を有し、前記厚肉部は前記薄肉部よりも厚く、前記周辺部は前記厚肉部よりも薄く、前記ソール部はさらに、前記厚肉部のトゥ側の部分に少なくとも部分的に位置しているトゥ側重量集中部と、前記厚肉部のヒール側の部分に少なくとも部分的に位置しているヒール側重量集中部を有している、ゴルフクラブヘッド。
【請求項２】
前記ソール部は、前記厚肉部のバック側の部分と前記薄肉部にまたがって位置しているバック側重量集中部をさらに有している、請求項１に記載のゴルフクラブヘッド。
【請求項３】
前記ソール部は、前記厚肉部のフェース側の部分に位置しているフェース側重量集中部をさらに有している、請求項１に記載のゴルフクラブヘッド。
【請求項４】
前記薄肉部と前記厚肉部は内側段差部を介して連続している、請求項１〜３のいずれかひとつに記載のゴルフクラブヘッド。
【請求項５】
前記厚肉部と前記周辺部は外側段差部を介して連続している、請求項４に記載のゴルフクラブヘッド。
【請求項６】
請求項１〜５のいずれかひとつに記載のゴルフクラブヘッドを備えたゴルフクラブ。
【発明の詳細な説明】
【技術分野】
【０００１】
本発明は、ゴルフクラブヘッドに関する。
【背景技術】
【０００２】
近年のウッドタイプのゴルフクラブヘッドは大容量化が図られる傾向にある。また、ゴルフクラブには、ボールの飛距離や方向性の良さほかに、打音や打感の心地良さも求められる。
【０００３】
特開平１１−１５５９８２号公報は、ウッドタイプのゴルフクラブヘッドを開示している。このゴルフクラブヘッドは、心地良い打音と柔らかい打感を得る目的で、たとえばソール部の中央部が、周辺部から緩やかに徐々に肉厚が薄くなるように形成されている。
【先行技術文献】
【特許文献】
【０００４】
【特許文献１】特開平１１−１５５９８２号公報
【発明の概要】
【発明が解決しようとする課題】
【０００５】
ゴルフクラブヘッドの大容量化を図ったとき、一般に打音は、音が低くなり、音が大きくなる傾向がある。そのため、打音が心地良い範囲から外れることがある。一般には、心地良い打音として、音の高さは３０００〜８０００Ｈｚ、好ましくは４０００〜７０００Ｈｚの範囲にあり、音の大きさは７０〜９０ｄＢ、好ましくは７５〜８５ｄＢの範囲にあることが望まれる。
【０００６】
特開平１１−１５５９８２号公報に開示されたゴルフクラブヘッドは、音質の変化は望めるが、打音の高さや大きさを制御することは難しい。
【０００７】
本発明の目的は、打音を損なうことなく大容量化を図ることが可能なゴルフクラブヘッドを提供することである。
【課題を解決するための手段】
【０００８】
本発明によるゴルフクラブヘッドは、フェース部とクラウン部とソール部とサイド部とホーゼル部を備えており、前記ソール部は、ソール中央を含む薄肉部と、前記薄肉部を囲む厚肉部と、前記厚肉部の少なくともトゥ側とヒール側とバック側に位置する周辺部を有している。前記厚肉部は前記薄肉部よりも厚く、前記周辺部は前記厚肉部よりも薄い。前記ソール部はさらに、前記厚肉部のトゥ側の部分に少なくとも部分的に位置しているトゥ側重量集中部と、前記厚肉部のヒール側の部分に少なくとも部分的に位置しているヒール側重量集中部を有している。
【発明の効果】
【０００９】
本発明によれば、打音を損なうことなく大容量化を図ることが可能なゴルフクラブヘッドが提供される。
【図面の簡単な説明】
【００１０】
【図１】実施形態に係るゴルフクラブを示している。
【図２】図１のゴルフクラブヘッドをソール部側から見た平面図である。
【図３】図１のゴルフクラブヘッドをクラウン部側から見た部分断面平面図である。
【図４】図３のＡ−Ａ線に沿った図１のゴルフクラブヘッドの断面図である。
【図５】図３のＢ−Ｂ線に沿った図１のゴルフクラブヘッドの部分断面図である。
【図６】図３のＣ−Ｃ線に沿った図１のゴルフクラブヘッドの断面図である。
【図７】変形例に係るゴルフクラブヘッドの図５に相当する断面図である。
【図８】変形例に係るゴルフクラブヘッドの図６に対応する断面図である。
【発明を実施するための形態】
【００１１】
以下、図面を参照しながら本発明の実施形態について説明する。
【００１２】
図１に、実施形態に係るゴルフクラブ１０を示す。ゴルフクラブ１０は、たとえばフェアウェイウッドであり、ウッドタイプのゴルフクラブヘッド２０と、ゴルフクラブヘッド２０に接続されたシャフト１２と、ゴルフクラブヘッド２０の反対側のシャフト１２の端部に設けられたグリップ部１４とを備えている。
【００１３】
図１に示されたゴルフクラブヘッド２０を図２〜図６に示す。ゴルフクラブヘッド２０は、ボールを打つためのフェース部２２と、上部に位置するクラウン部２４と、底部に位置するソール部３０と、クラウン部２４とソール部３０の間に位置するサイド部２６と、シャフト１２（図１参照）が接続されるホーゼル部２８を備えている。ここで、上下の位置関係は、ゴルフクラブヘッド２０がライ角で配置された状態を想定している。フェース部２２とクラウン部２４とソール部３０とサイド部２６とホーゼル部２８は互いに接続されており、中空構造体を形成している。ゴルフクラブヘッド２０は、たとえば、ステンレス合金やチタン合金で形成される。
【００１４】
ソール部３０は、ソール中央を含む薄肉部３２と、薄肉部３２を囲む厚肉部３４と、厚肉部３４のトゥ側とヒール側とバック側に位置する周辺部３６と、薄肉部３２と厚肉部３４と周辺部３６のフェース側に位置する前部４０を有している。厚肉部３４は薄肉部３２よりも厚い。周辺部３６は厚肉部３４よりも薄い。たとえば、薄肉部の厚さは１．５ｍｍ程度（たとえば０．８〜２．０ｍｍの範囲内）であり、厚肉部の厚さは３ｍｍ程度（たとえば２．０〜４．０ｍｍの範囲内）であり、周辺部の厚さは２ｍｍ程度（たとえば１．５〜３．０ｍｍの範囲内）である。前部４０は、本実施形態では、厚肉部３４よりも薄い。しかし、前部４０の厚さは、これに限定されず、たとえば、厚肉部３４の厚さと実質的に同じであってもよく、また厚肉部３４の厚さよりも大きくてもよい。
【００１５】
薄肉部３２の面積は、好ましくは、ソール部３０の全体の面積の１５〜４０％になるように設定される。
【００１６】
ソール部３０には、複数の重量集中部４６Ａ，４６Ｂ，４６Ｃ，４６Ｄが設けられている。重量集中部４６Ａは、厚肉部３４のトゥ側の部分に位置している。重量集中部４６Ｂは、厚肉部３４のヒール側の部分に位置している。重量集中部４６Ｃは、厚肉部３４のバック側の部分と薄肉部３２にまたがって位置している。重量集中部４６Ｄは、厚肉部３４のフェース側の部分に位置している。つまり、重量集中部４６Ａ，４６Ｂ，４６Ｃ，４６Ｄはいずれも少なくとも部分的に前記厚肉部に位置している。
【００１７】
重量集中部４６Ｃ，４６Ｄは、ソール部３０の肉厚の部分で構成されている。たとえば、重量集中部４６Ｃ，４６Ｄを構成するソール部３０の部分は４〜６ｍｍの厚さを有している。重量集中部４６Ａ，４６Ｂは、ソール部３０の構成材料とは別の円柱状の部材で構成されており、ソール部３０に設けられた円筒部４８Ａ，４８Ｂの中に配置され固定されている。重量集中部４６Ａ，４６Ｂは、重量集中部４６Ｃ，４６Ｄと同様に、ソール部３０の肉厚の部分で構成されてもよい。また重量集中部４６Ｃ，４６Ｄは、重量集中部４６Ａ，４６Ｂと同様に、ソール部３０の構成材料とは別の部材で構成されてもよい。
【００１８】
重量集中部４６Ａ，４６Ｂ，４６Ｃは、たとえば、重量集中部４６Ａ，４６Ｂ，４６Ｃの幾何学的中心を通る円弧と重量集中部４６Ａ，４６Ｂの幾何学的中心を結ぶ線分とで形成される扇形５０の内側に位置する薄肉部３２の部分の面積が薄肉部３２の全体の面積の半分以上になるように位置決めされている。しかし、重量集中部４６Ａ，４６Ｂ，４６Ｃの配置関係は、必ずしもこれに限定される必要はない。
【００１９】
薄肉部３２と厚肉部３４は内側段差部４２を介して連続している。内側段差部４２は、薄肉部３２と厚肉部３４をつないでいる部分であり、薄肉部３２の厚さと厚肉部３４の厚さの相違分だけ肉厚が変化している。この肉厚の変化は、比較的急であり、たとえば、厚肉部３４の厚さ以下の範囲内で起きている。つまり、図５に示すように、厚肉部３４の厚さをＴ１、内側段差部４２の幅をＴ２とすると、Ｔ１≧Ｔ２である。
【００２０】
また、厚肉部３４のフェース側の部分には全体に重量集中部４６Ｄが設けられており、この部分では、薄肉部３２と厚肉部３４の間の段差部は重量集中部４６Ｄの傾斜部と一体化している。この部分の肉厚の変化も、たとえば、厚肉部３４の厚さ以下の範囲内で起きている。つまり、この部分の幅をＴ３とすると、Ｔ１≧Ｔ３である。
【００２１】
厚肉部３４と周辺部３６は外側段差部４４を介して連続している。外側段差部４４は、厚肉部３４と周辺部３６をつないでいる部分であり、厚肉部３４の厚さと周辺部３６の厚さの相違分だけ肉厚が変化している。図５に示すように、外側段差部４４は、バック側の部分において、段差の高さｔが厚肉部３４の厚さ以上であると好ましい。たとえば、外側段差部４４の段差の高さｔは、バック側の部分において、２〜５ｍｍの範囲内にある。外側段差部４４は、バック側のほぼ半分は、段差の高さが一定であり、フェース側のほぼ半分は、フェース部２２に近づくにつれて段差の高さが減少している。
【００２２】
厚肉部３４は、重量集中部４６Ｄの部分を除いて、段差部を介することなく前部４０に連続している。つまり、厚肉部３４と前部４０の境界周辺では、その部分の肉厚が緩やかに変化している。同様に、周辺部３６も、段差部を介することなく前部４０に連続している。つまり、厚肉部３４と前部４０の境界周辺では、その部分の肉厚が緩やかに変化している。
【００２３】
本実施形態に係るゴルフクラブヘッド２０では、ボールを打った衝撃によってソール部３０に発生する振動部位が主に薄肉部３２に制限される。薄肉部３２の振動は、薄肉部３２を囲む厚肉部３４によって速やかに減衰される。内側段差部４２によって、薄肉部３２から厚肉部３４への振動の伝達が抑えられる。重量集中部４６Ａ，４６Ｂ，４６Ｃ，４６Ｄによって厚肉部３４の振動が抑えられる。外側段差部４４によって、厚肉部３４から周辺部３６への振動の伝達が抑えられる。
【００２４】
これにより、大容量化に伴って発生する打音の不所望な変化、たとえば、音が低くなる、音が大きくなるなどの変化を良好に抑えることができる。つまり、打音を犠牲にすることなく、大容量化を図ることができる。
【００２５】
また、薄肉部３２を設けたことにより軽くなった分の重量を重量集中部４６Ａ，４６Ｂ，４６Ｃ，４６Ｄに分配することにより、低重心化と高慣性モーメント化を図ることができる。
【００２６】
このようなゴルフクラブヘッド２０は、たとえば、体積が１５０ｃｃ以上２２０ｃｃ未満であり、慣性モーメントが２５００〜３２００ｇ・ｃｍ２であり、重心の高さが１３〜１８ｍｍの範囲内にあり、インセットが７．５〜１５．０ｍｍの範囲内にある。
【００２７】
本実施形態に係るゴルフクラブヘッド２０の変形例を図７と図８に示す。上述した実施形態では、図５と図６に示すように、内側段差部４２は、薄肉部３２と内側段差部４２の境界部分と厚肉部３４と内側段差部４２の境界部分に丸みを持つように形成されているが、この変形例では、図７と図８に示すように、内側段差部４２Ａは、薄肉部３２と内側段差部４２Ａの境界部分と厚肉部３４と内側段差部４２Ａの境界部分に角が立つように形成されている。このような内側段差部４２Ａは、内側段差部４２に比べて、薄肉部３２から厚肉部３４への振動の伝達がさらに良く抑える。
【００２８】
また、上述した実施形態では、図６に示すように、外側段差部４４は、厚肉部３４と周辺部３６の内側面と外側面の両方に段差を与えるように形成されているが、この変形例では、図８に示すように、外側段差部４４Ａは、厚肉部３４と周辺部３６の内側面には段差を与えず、厚肉部３４と周辺部３６の外側面にだけ段差を与えるように形成されている。いずれの場合も、外側段差部４４，４４Ａは、ソール部３０の外側に段差が現れるように形成されている。
【００２９】
これまで、図面を参照しながら本発明の実施形態を述べたが、本発明は、これらの実施形態に限定されるものではなく、その要旨を逸脱しない範囲において様々な変形や変更が施されてもよい。ここにいう様々な変形や変更は、上述した実施形態を適当に組み合わせた実施も含む。
【００３０】
たとえば、実施形態では、重量集中部４６Ａ，４６Ｂ，４６Ｃ，４６Ｄは互いに別の部材として構成され、互いに離散して配置されているが、それらのうちの二つ以上が一体化されて連続的に延びている構成としてもよい。
【符号の説明】
【００３１】
１０…ゴルフクラブ、１２…シャフト、１４…グリップ部、２０…ゴルフクラブヘッド、２２…フェース部、２４…クラウン部、２６…サイド部、２８…ホーゼル部、３０…ソール部、３２…薄肉部、３４…厚肉部、３６…周辺部、４０…前部、４２，４２Ａ…内側段差部、４４，４４Ａ…外側段差部、４６Ａ，４６Ｂ，４６Ｃ，４６Ｄ…重量集中部、４８Ａ，４８Ｂ…円筒部、５０…扇形。
【図１】
0005779497.tif 000002
【図２】
0005779497.tif 000003
【図３】
0005779497.tif 000004
【図４】
0005779497.tif 000005
【図５】
0005779497.tif 000006
【図６】
0005779497.tif 000007
【図７】
0005779497.tif 000008
【図８】
0005779497.tif 000009